(57)【要約】【課題】電力の消費を抑制でき、かつ画像や文字を容易に見ることができる。【解決手段】情報表示装置は、表示部６０と、第１照射部の複数のＬＥＤ７０と、第２照射部の複数のＬＥＤ７０と、第３照射部と、筐体６６と、周囲光監視部５４と、制御部６２とを含む。第１照射部の複数のＬＥＤ７０は、第３照射部に隣接して設けられ、表示部６０の表示面の両端部に対して表示面の横方向から光を照射する。第２照射部の複数のＬＥＤ７０と第３照射部とは、表示面の中央部に対して表示面の横方向から光を照射する。周囲光監視部５４は、筐体６６の外部の輝度を検出する。制御部６２は、第３照射部、第１照射部の複数のＬＥＤ７０、および第２照射部の複数のＬＥＤ７０を周囲光監視部５４が検出した輝度などに基づいて制御する。【選択図】図１
2008197562.tif 000002
【特許請求の範囲】
【請求項１】
表示面に情報を表示するための表示手段と、
前記表示面の横方向から前記表示面の一部に対して光を照射するための部分照射手段と、
前記部分照射手段に隣接して設けられ、前記部分照射手段が光を照射する部分とは異なる前記表示面の一部に対して前記表示面の横方向から光を照射するための複数の第１の発光素子と、
前記複数の第１の発光素子と同数であって、前記表示手段の表示面を挟んで前記部分照射手段に相対するように設けられ、かつ前記部分照射手段が光を照射する部分に対して前記表示面の横方向から光を照射するための複数の第２の発光素子と、
前記表示手段、前記複数の第１の発光素子、および前記複数の第２の発光素子を収容する筐体と、
前記筐体の外部の輝度を検出するための輝度検出手段と、
前記部分照射手段、前記複数の第１の発光素子、および前記複数の第２の発光素子を制御するための制御手段とを含み、
前記制御手段は、
前記輝度検出手段が検出した輝度が前記輝度についての閾値以下の場合、前記部分照射手段および前記複数の第１の発光素子が光を照射する範囲の内側に情報を表示するように前記表示手段を制御するための表示制御手段と、
前記輝度検出手段が検出した輝度が前記輝度についての閾値以下の場合、前記部分照射手段および前記複数の第１の発光素子を光を照射するように制御するための照射制御手段と、
前記輝度検出手段が検出した輝度が前記輝度についての閾値を超える場合、前記部分照射手段が光を照射する範囲の内側に情報を表示するように前記表示手段を制御するための部分表示制御手段と、
前記輝度検出手段が検出した輝度が前記輝度についての閾値を超える場合、前記部分照射手段および前記複数の第２の発光素子を光を照射するように制御するための部分照射制御手段とを含む、情報表示装置。
【請求項２】
表示面に情報を表示するための表示手段と、
前記表示手段の表示面の横方向から前記表示面の一部に対して光を照射するための部分照射手段と、
前記部分照射手段に隣接して設けられ、前記部分照射手段が光を照射する部分とは異なる前記表示面の一部に対して前記表示面の横方向から光を照射するための別部分照射手段と、
前記部分照射手段が光を照射する部分に対して前記表示面の横方向から光を照射するための重複照射手段と、
前記表示手段、前記別部分照射手段、および前記重複照射手段を収容する筐体と、
前記筐体の外部の輝度を検出するための輝度検出手段と、
前記部分照射手段、前記別部分照射手段、および前記重複照射手段を制御するための制御手段とを含み、
前記制御手段は、
前記輝度検出手段が検出した輝度が前記輝度についての閾値以下の場合、前記部分照射手段および前記別部分照射手段が光を照射する範囲の内側に情報を表示するように前記表示手段を制御するための表示制御手段と、
前記輝度検出手段が検出した輝度が前記輝度についての閾値以下の場合、前記部分照射手段および前記別部分照射手段を光を照射するように制御するための照射制御手段と、
前記輝度検出手段が検出した輝度が前記輝度についての閾値を超える場合、前記部分照射手段が光を照射する範囲の内側に情報を表示するように前記表示手段を制御するための部分表示制御手段と、
前記輝度検出手段が検出した輝度が前記輝度についての閾値を超える場合、前記部分照射手段および前記重複照射手段を光を照射するように制御するための部分照射制御手段とを含む、情報表示装置。
【請求項３】
前記別部分照射手段は、複数の発光素子を含み、
前記重複照射手段は、前記別部分照射手段と同数の発光素子を含む、請求項２に記載の情報表示装置。
【請求項４】
前記別部分照射手段と同数の発光素子は、前記表示手段の表示面を挟んで前記部分照射手段に相対するように設けられた複数の素子である、請求項３に記載の情報表示装置。
【請求項５】
前記重複照射手段は、前記表示手段の表示面を挟んで前記部分照射手段に相対するように設けられ、かつ前記表示面の一部に対して前記表示面の横方向から光を照射するための相対照射手段を含む、請求項２に記載の情報表示装置。
【請求項６】
前記部分照射手段は、複数の発光素子を含み、
前記重複照射手段は、前記部分照射手段が含む前記複数の発光素子それぞれに隣接して設けられた、複数の発光素子を含む、請求項２に記載の情報表示装置。
【請求項７】
前記表示手段は、
ディスプレイと、
前記ディスプレイの表示面に設けられ、前記表示面に対して照射される光を拡散するための拡散手段とを含み、
前記情報表示装置は、
前記部分照射手段が含む前記複数の発光素子と前記重複照射手段が含む前記複数の発光素子とがそれぞれ照射した光を前記拡散手段に誘導するための誘導手段をさらに含む、請求項６に記載の情報表示装置。
【請求項８】
前記別部分照射手段は、前記部分照射手段が光を照射する部分に隣接する前記表示面の一部に対して光を照射するための隣接部分照射手段を含む、請求項２に記載の情報表示装置。
【請求項９】
前記別部分照射手段は、前記部分照射手段が光を照射する部分の両隣である前記表示面の一部に対して前記表示面の横方向から光を照射するための複数の両隣照射手段を含み、
前記表示制御手段は、前記部分照射手段および前記複数の両隣照射手段が光を照射する範囲の内側に情報を表示するように前記表示手段を制御するための手段を含み、
前記照射制御手段は、前記部分照射手段および前記複数の両隣照射手段を光を照射するように制御するための手段を含む、請求項２に記載の情報表示装置。
【請求項１０】
前記情報表示装置は、電源の電圧を検出するための電圧検出手段をさらに含み、
前記部分照射制御手段は、前記輝度検出手段が検出した輝度が前記輝度についての閾値を超え、かつ前記電圧検出手段が検出した電圧が前記電圧についての閾値以下の場合に、前記電圧検出手段が検出した電圧に対応する輝度で光を照射するように前記部分照射手段および前記重複照射手段を制御するための手段を含む、請求項２に記載の情報表示装置。
【請求項１１】
前記情報表示装置は、電源の電圧を検出するための電圧検出手段をさらに含み、
前記表示制御手段は、前記輝度検出手段が検出した輝度が前記輝度についての閾値以下であって前記電圧検出手段が検出した電圧が前記電圧についての閾値を超える場合、前記部分照射手段および前記別部分照射手段が光を照射する範囲の内側に情報を表示するように前記表示手段を制御するための手段を含み、
前記照射制御手段は、前記輝度検出手段が検出した輝度が前記輝度についての閾値以下であって前記電圧検出手段が検出した電圧が前記電圧についての閾値を超える場合、前記輝度検出手段が検出した輝度に対応する輝度の光を照射するように前記部分照射手段および前記別部分照射手段を制御するための手段を含み、
前記部分表示制御手段は、前記輝度検出手段が検出した輝度が前記輝度についての閾値以下であって前記電圧検出手段が検出した電圧が前記電圧についての閾値以下の場合、前記部分照射手段が光を照射する範囲の内側に情報を表示するように前記表示手段を制御するための手段を含み、
前記制御手段は、前記輝度検出手段が検出した輝度が前記輝度についての閾値以下であって前記電圧検出手段が検出した電圧が前記電圧についての閾値以下の場合、前記電圧検出手段が検出した電圧に対応する輝度の光を照射するように前記部分照射手段を制御するための省電制御手段をさらに含む、請求項２に記載の情報表示装置。
【発明の詳細な説明】
【技術分野】
【０００１】
本発明は、情報表示装置に関し、特に、情報の表示の際に照射する光の強度を制御する情報表示装置に関する。
【背景技術】
【０００２】
特許文献１は、本体回路と共通の電池電源により駆動され、表示画面の全体の領域を照明するバックライト機能を備えた表示装置を開示する。表示装置は、バックライトと、電圧検出器と、バックライト制御部とを含む。バックライトは、２つの光源パネルからなる。それらの光源パネルは、表示画面の大きさに対応する照明すべき領域を、上下方向に一定の幅ずつ画面右側と画面左側とから交互に入り組む状態で櫛形に２分割する。電圧検出器は、電池電源の電圧レベルを検出する。バックライト制御部は、電圧検出器により検出される電池電源の電圧レベルに応じて、バックライトを構成する２つの光源パネルそれぞれの点灯を個々の光源パネル毎に別々に制御する。
【０００３】
特許文献１に開示された発明によると、本体回路の動作不良を招くことなく、バックライトの点灯可能期間を長くできる。
【０００４】
特許文献２は、両面光源と、液晶表示パネルと、発光領域可変装置と、切替手段とを含む両面液晶表示装置を開示する。両面光源は、シート状の両面から発光する。液晶表示パネルは、両面光源をバックライトとして各面の任意の場所に少なくとも１つずつ配置され、画像を表示する。発光領域可変装置は、液晶表示パネルの配置位置と面積に応じて両面光源の発光領域を変える。切替装置は、発光領域可変装置を液晶表示パネルの表示タイミングに合わせて切り替える。
【０００５】
特許文献２に開示された発明によると、両面に液晶表示パネルを配した場合に薄型化を保持しつつ、液晶表示画面を切り替えて表示する際のバックライトに要する消費電力量を必要最低限にできる。
【０００６】
特許文献３は、第１の表示部と、透過領域を有し、その透過領域を通して第１の表示部を視認し得るよう第１の表示部に積層された第２の表示部とを有する表示装置を開示する。第１の表示部は、光の射出量を画素ごとに制御して発光表示を行う。第２の表示部は、外光を透過する透過状態と少なくとも一部を反射する反射状態とが画素ごとに設定可能とされ、透過領域と反射領域との組み合わせで表示を行う。
【０００７】
特許文献３に開示された発明によると、満足な画像表示が可能でありながら、消費電力を最小限に抑えることができる。
【０００８】
特許文献４は、バックライトを有するカラー液晶を表示部として持つ電子機器を開示する。電子機器は、状態検出部と、バックライト制御部とを含む。状態検出部は、所定の状態を検出する。バックライト制御部は、所定の状態において表示部の周囲光の明るさを多段階に判別し、それぞれの段階に応じてバックライトの明るさを制御する。
【０００９】
特許文献４に開示された発明によると、着信時など所定の状態において表示部となる半透明カラー液晶の周囲光の明るさを多段階に判別し、それぞれの段階に応じてバックライトの明るさを制御することにより最適な照明を得、かつ、省電力化を図ることができる。
【００１０】
特許文献５は、液晶表示パネルと、バックライトユニットと、電源電圧検出装置とを含む液晶表示装置を開示する。液晶表示パネルは、画像を表示する。バックライトユニットは、複数の面光源を組み合わせることによって構成されている。それらの複数の面光源は、個々に点灯するか否かを制御できる。電源電圧検出装置は、電力を供給するバッテリの出力電圧を検出する。
【００１１】
特許文献５に開示された発明によると、バッテリ残量が低下したときに自動的に液晶表示パネルに表示される画像の大きさを縮小でき、縮小された画像の大きさに応じて最適なバックライトの点灯動作を行わせることによって低消費電力化を図り、バッテリ動作時の機器の使用時間を伸ばすことができる。
【００１２】
特許文献６は、情報を表示する携帯端末を開示する。携帯端末には、自己の回路へ電力を供給する電池が装着される。携帯端末は、表示装置と、制御装置とを含む。表示装置は、領域の大きさを変更することができる表示領域に情報を表示する。制御装置は、表示領域の大きさを変更して、情報を表示するように、表示装置を制御する。制御装置は、表示領域を小さく変更する場合に、表示領域を小さくする前に表示されていた情報の全部または一部のいずれかの情報を縮小表示するように、表示装置を制御する。
【００１３】
特許文献６に開示された発明によると、電池の残量が低下しても長い間使用でき、ユーザへの情報の提示を確保できる。
【特許文献１】特開平１１−１８３９０１号公報
【特許文献２】特開２００５−４９５２２号公報
【特許文献３】特開２００６−１３３３４６号公報
【特許文献４】特開２００２−１１１８６５号公報
【特許文献５】特開２００３−１５６７２８号公報
【特許文献６】特開２００３−２３４９０号公報
【発明の開示】
【発明が解決しようとする課題】
【００１４】
しかし、特許文献１に開示された発明では、電池の持続時間を延長できる反面、表示面の明るさを犠牲にしているという問題点がある。
【００１５】
特許文献２および３に開示された発明では、省電力化が可能であるものの、電池が蓄えた電力の残量が少なくなった場合に電池の持続時間を延長することまでは困難であるという問題点がある。
【００１６】
特許文献４に開示された発明では、電力の節約量の割には表示面が暗くなるという問題点がある。
【００１７】
特許文献５および６に開示された発明では、日中の屋外のような周囲が明るい場所で表示面をユーザが見た場合、画面が暗くなるために見えづらいという問題点がある。
【００１８】
本発明は上述の問題点を解決するためになされたものであって、その目的は、電力の消費を抑制でき、かつ画像や文字を容易に見ることができる情報表示装置を提供することにある。
【課題を解決するための手段】
【００１９】
上記目的を達成するために、本発明のある局面に従うと、情報表示装置は、表示手段と、部分照射手段と、複数の第１の発光素子と、複数の第２の発光素子と、筐体と、輝度検出手段と、制御手段とを含む。表示手段は、表示面に情報を表示する。部分照射手段は、表示面の横方向から表示面の一部に対して光を照射する。複数の第１の発光素子は、部分照射手段に隣接して設けられ、部分照射手段が光を照射する部分とは異なる表示面の一部に対して表示面の横方向から光を照射する。複数の第２の発光素子は、第１の発光素子と同数であって、表示手段の表示面を挟んで部分照射手段に相対するように設けられ、かつ部分照射手段が光を照射する部分に対して表示面の横方向から光を照射する。筐体は、表示手段、複数の第１の発光素子、および複数の第２の発光素子を収容する。輝度検出手段は、筐体の外部の輝度を検出する。制御手段は、部分照射手段、複数の第１の発光素子、および複数の第２の発光素子を制御する。制御手段は、表示制御手段と、照射制御手段と、部分表示制御手段と、部分照射制御手段とを含む。表示制御手段は、輝度検出手段が検出した輝度が輝度についての閾値以下の場合、部分照射手段および複数の第１の発光素子が光を照射する範囲の内側に情報を表示するように表示手段を制御する。照射制御手段は、輝度検出手段が検出した輝度が輝度についての閾値以下の場合、部分照射手段および複数の第１の発光素子を光を照射するように制御する。部分表示制御手段は、輝度検出手段が検出した輝度が輝度についての閾値を超える場合、部分照射手段が光を照射する範囲の内側に情報を表示するように表示手段を制御する。部分照射制御手段は、輝度検出手段が検出した輝度が輝度についての閾値を超える場合、部分照射手段および複数の第２の発光素子を光を照射するように制御する。
【００２０】
本発明の他の局面にしたがうと、情報表示装置は、表示手段と、部分照射手段と、別部分照射手段と、重複照射手段と、筐体と、輝度検出手段と、制御手段とを含む。表示手段は、表示面に情報を表示する。部分照射手段は、表示面の横方向から表示面の一部に対して光を照射する。別部分照射手段は、部分照射手段に隣接して設けられ、部分照射手段が光を照射する部分とは異なる表示面の一部に対して表示面の横方向から光を照射する。重複照射手段は、部分照射手段が光を照射する部分に対して表示面の横方向から光を照射する。筐体は、表示手段、別部分照射手段、および重複照射手段を収容する。輝度検出手段は、筐体の外部の輝度を検出する。制御手段は、部分照射手段、別部分照射手段、および重複照射手段を制御する。制御手段は、表示制御手段と、照射制御手段と、部分表示制御手段と、部分照射制御手段とを含む。表示制御手段は、輝度検出手段が検出した輝度が輝度についての閾値以下の場合、部分照射手段および別部分照射手段が光を照射する範囲の内側に情報を表示するように表示手段を制御する。照射制御手段は、輝度検出手段が検出した輝度が輝度についての閾値以下の場合、部分照射手段および別部分照射手段を光を照射するように制御する。部分表示制御手段は、輝度検出手段が検出した輝度が輝度についての閾値を超える場合、部分照射手段が光を照射する範囲の内側に情報を表示するように表示手段を制御する。部分照射制御手段は、輝度検出手段が検出した輝度が輝度についての閾値を超える場合、部分照射手段および重複照射手段を光を照射するように制御する。
【００２１】
また、上述の別部分照射手段は、複数の発光素子を含むことが望ましい。併せて、重複照射手段は、別部分照射手段と同数の発光素子を含むことが望ましい。
【００２２】
もしくは、上述の別部分照射手段と同数の発光素子は、表示手段の表示面を挟んで部分照射手段に相対するように設けられた複数の素子であることが望ましい。
【００２３】
また、上述の重複照射手段は、表示手段の表示面を挟んで部分照射手段に相対するように設けられ、かつ表示面の一部に対して表示面の横方向から光を照射するための相対照射手段を含むことが望ましい。
【００２４】
また、上述の部分照射手段は、複数の発光素子を含むことが望ましい。併せて、重複照射手段は、部分照射手段が含む複数の発光素子それぞれに隣接して設けられた、複数の発光素子を含むことが望ましい。
【００２５】
もしくは、上述の表示手段は、ディスプレイと、ディスプレイの表示面に設けられ、表示面に対して照射される光を拡散するための拡散手段とを含むことが望ましい。併せて、情報表示装置は、部分照射手段が含む複数の発光素子と重複照射手段が含む複数の発光素子とがそれぞれ照射した光を拡散手段に誘導するための誘導手段をさらに含むことが望ましい。
【００２６】
また、上述の別部分照射手段は、部分照射手段が光を照射する部分に隣接する表示面の一部に対して光を照射するための隣接部分照射手段を含むことが望ましい。
【００２７】
また、上述の別部分照射手段は、部分照射手段が光を照射する部分の両隣である表示面の一部に対して表示面の横方向から光を照射するための複数の両隣照射手段を含むことが望ましい。併せて、表示制御手段は、部分照射手段および複数の両隣照射手段が光を照射する範囲の内側に情報を表示するように表示手段を制御するための手段を含むことが望ましい。併せて、照射制御手段は、部分照射手段および複数の両隣照射手段を光を照射するように制御するための手段を含むことが望ましい。
【００２８】
また、上述の情報表示装置は、電源の電圧を検出するための電圧検出手段をさらに含むことが望ましい。併せて、部分照射制御手段は、輝度検出手段が検出した輝度が輝度についての閾値を超え、かつ電圧検出手段が検出した電圧が電圧についての閾値以下の場合に、電圧検出手段が検出した電圧に対応する輝度で光を照射するように部分照射手段および重複照射手段を制御するための手段を含むことが望ましい。
【００２９】
また、上述の情報表示装置は、電源の電圧を検出するための電圧検出手段をさらに含むことが望ましい。併せて、表示制御手段は、輝度検出手段が検出した輝度が輝度についての閾値以下であって電圧検出手段が検出した電圧が電圧についての閾値を超える場合、部分照射手段および別部分照射手段が光を照射する範囲の内側に情報を表示するように表示手段を制御するための手段を含むことが望ましい。併せて、照射制御手段は、輝度検出手段が検出した輝度が輝度についての閾値以下であって電圧検出手段が検出した電圧が電圧についての閾値を超える場合、輝度検出手段が検出した輝度に対応する輝度の光を照射するように部分照射手段および別部分照射手段を制御するための手段を含むことが望ましい。併せて、部分表示制御手段は、輝度検出手段が検出した輝度が輝度についての閾値以下であって電圧検出手段が検出した電圧が電圧についての閾値以下の場合、部分照射手段が光を照射する範囲の内側に情報を表示するように表示手段を制御するための手段を含むことが望ましい。併せて、制御手段は、輝度検出手段が検出した輝度が輝度についての閾値以下であって電圧検出手段が検出した電圧が電圧についての閾値以下の場合、電圧検出手段が検出した電圧に対応する輝度の光を照射するように部分照射手段を制御するための省電制御手段をさらに含むことが望ましい。
【発明の効果】
【００３０】
本発明に係る情報表示装置は、電力の消費を抑制でき、かつ画像や文字を容易に見ることができる。
【発明を実施するための最良の形態】
【００３１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３２】
図１は、本実施の形態に係る情報表示装置の構成を示す図である。図１を参照して、本実施の形態に係る情報表示装置は、ユーザ操作部５０と、バッテリ監視部５２と、周囲光監視部５４と、データ変換部５６と、バックライト照明部５８と、表示部６０と、制御部６２と、バッテリ６４と、筐体６６とを含む。ユーザ操作部５０は、ユーザの操作に応じて信号を生成することにより、ユーザの入力を受付ける装置である。バッテリ監視部５２は、バッテリ６４の電圧を検出するセンサである。周囲光監視部５４は、本実施の形態に係る情報表示装置の周囲の輝度を検出するセンサである。データ変換部５６は、図示しない入力端子を介して表示のためのデータが入力されると、そのデータを表示部６０が表示できる形式のデータに変換する回路である。バックライト照明部５８は、表示部６０が表示した文字や画像を見やすいものにするため表示部６０を照らすモジュールである。表示部６０は、データ変換部５６が変換したデータに基づき、文字や画像として情報を表示する装置である。制御部６２は、本実施の形態に係る情報表示装置を制御する装置である。バッテリ６４は、本実施の形態に係る情報表示装置を構成する装置や回路に電力を供給する。筐体６６は、ユーザ操作部５０と、バッテリ監視部５２と、周囲光監視部５４と、データ変換部５６と、バックライト照明部５８と、表示部６０と、制御部６２と、バッテリ６４とを収容する。筐体６６は、ユーザ操作部５０と、周囲光監視部５４と、表示部６０とについては、一部が外部に露出するようにそれらを収容する。ユーザは、ユーザ操作部５０の露出部分を操作し、表示部６０の露出部分の表示面を見る。周囲光監視部５４は、露出部分に入射する光に基づいて、筐体６６の外部の輝度を検出する。
【００３３】
バックライト照明部５８は、複数のＬＥＤ（Light Emitting Diode）７０を含む。複数のＬＥＤ７０が後述する位置に配置されることで、バックライト照明部５８は、表示部６０に光を照射できる。
【００３４】
制御部６２は、ＬＥＤ制御部７２と、動作制御部７４とを含む。ＬＥＤ制御部７２は、ＬＥＤ７０に供給する電力を制御する。本実施の形態の場合、ＬＥＤ制御部７２は、リレーその他の電子回路として動作するＩＣ（Integrated Circuit）によって実現される。これにより、ＬＥＤ制御部７２は、バックライト照明部５８が照射する光の輝度を制御することとなる。動作制御部７４は、ユーザ操作部５０が生成した信号、バッテリ監視部５２が検出したバッテリ６４の電圧、および周囲光監視部５４が検出した輝度に基づき、データ変換部５６、表示部６０、およびＬＥＤ制御部７２を制御する。
【００３５】
動作制御部７４は、ＣＰＵ（Central Processing Unit）９０と、メモリ９２とを含む。ＣＰＵ９０は、本実施の形態に係る情報表示装置の各部を制御する。ＣＰＵ９０は、その制御のための演算を実施する装置でもある。メモリ９２は、ユーザが設定した表示部６０の明るさを示す値やパワーセーブモードか否かを示すフラグの値を記憶する。
【００３６】
図２は、本発明の実施の形態に係る制御部６２の機能ブロック図である。図２に示す制御部６２の各機能は、ＣＰＵ９０がメモリ９２に記憶されたプログラムを実行することにより、ＬＥＤ制御部７２と動作制御部７４とが協調して動作するために実現される機能である。図２を参照して、本実施の形態に係る制御部６２が担当する機能は、表示制御部１００と、照射制御部１０２と、部分表示制御部１０４と、部分照射制御部１０６と、変換制御部１０８と、省電制御部１１０とを含む。
【００３７】
表示制御部１００は、第１照射部および第３照射部が光を照射する範囲の内側に情報を表示するように表示部６０を制御する。照射制御部１０２は、第１照射部および第３照射部を光を照射するように制御する。部分表示制御部１０４は、第３照射部が光を照射する範囲の内側に情報を表示するように表示部６０を制御する。部分照射制御部１０６は、第２照射部および第３照射部を光を照射するように制御する。変換制御部１０８は、データ変換部５６による表示データの変換を制御する。省電制御部１１０は、第３照射部を制御する。なお、第１照射部、第２照射部、および第３照射部については後述する。
【００３８】
図３は、表示部６０の構成とＬＥＤ７０の配置関係とを示す図である。図３を参照して、表示部６０は、ＬＣＤ（Liquid Crystal Display）８０と、拡散板８２とを含む。ＬＣＤ８０において、画素となる各領域は、外光を透過する透過状態と少なくとも一部を反射する反射状態とのうち一方の状態に常時ある。画素となる領域がそれらのうち一方の状態にあるので、ＬＣＤ８０は、透過領域と反射領域との組み合わせで文字や画像を表示できる。拡散板８２は、ＬＣＤ８０の表示面に設けられ、表示面に対して照射される光を拡散するシートである。本実施の形態の場合、拡散板８２は、表示面の横方向からＬＥＤ７０が照射した光をＬＣＤ８０の表示面に均等に拡散させる役割を担当する。
【００３９】
図４は、本実施の形態に係る情報表示装置を使用中のユーザが表示部６０の表示面を見た場合における、表示部６０とＬＥＤ７０との配置関係を示す図である。
【００４０】
図３および図４に示すように、バックライト照明部５８が含むＬＥＤ７０は、拡散板８２の側面に相対するように設けられている。ただしＬＥＤ７０が相対するように設けられているのは、拡散板８２の側面のうち中央部分のみである。
【００４１】
本実施の形態の場合、図４において、下側に示されたＬＥＤ７０のうち、両端の２つのＬＥＤ７０を「第１照射部」と称する。図４において上側に示されたＬＥＤを「第２照射部」と称する。図４において、下側に示されたＬＥＤ７０のうち、内側の２つのＬＥＤ７０を「第３照射部」と称する。
【００４２】
図５を参照して、制御部６２で実行されるプログラムは、表示に関し、以下のような制御を実行する。
【００４３】
ステップＳ２００にて、表示制御部１００は、表示部６０に制御信号を出力する。変換制御部１０８は、データ変換部５６に制御信号を出力する。それらの制御信号が出力されると、データ変換部５６は、入力された表示データを変換する。表示部６０は、データ変換部５６が変換したデータに基づき、第１照射部および第３照射部が光を照射する範囲の内側すなわちＬＣＤ８０のほぼ全面に情報を表示する。本実施の形態において、第１照射部および第３照射部が光を照射する範囲の内側に情報を表示することを「通常表示」と称する。照射制御部１０２は、ユーザが設定した輝度の光を照射するように第１照射部と第３照射部とを制御する。本実施の形態において、ユーザが設定した輝度の光を照射するように第１照射部と第３照射部とを制御することを「第１照明制御」と称する。
【００４４】
ステップＳ２０２にて、表示制御部１００は、制御部６２の動作がパワーセーブモードになっているか否かをフラグの値に基づき判断する。フラグの値は表示制御部１００として動作するメモリ９２に記憶されている。パワーセーブモードになっていると判断した場合には（ステップＳ２０２にてＹＥＳ）、処理はステップＳ２０４へと移される。もしそうでないと（ステップＳ２０２にてＮＯ）、処理はステップ２１８へと移される。
【００４５】
ステップＳ２０４にて、周囲光監視部５４は筐体６６の外側の輝度を検出する。周囲光監視部５４は、検出した輝度を示す値を表示制御部１００に出力する。表示制御部１００は、周囲光監視部５４が出力した値に基づき、本実施の形態に係る情報表示装置の周囲の輝度が閾値以下か否かを判断する。周囲の輝度が閾値以下と判断した場合には（ステップＳ２０４にてＹＥＳ）、処理はステップＳ２０６へと移される。もしそうでないと（ステップＳ２０４にてＮＯ）、処理はステップＳ２１２へと移される。
【００４６】
ステップＳ２０６にて、バッテリ監視部５２は、バッテリ６４の電圧を検出し、その電圧値のデータを部分表示制御部１０４に出力する。電圧値のデータが出力されると、部分表示制御部１０４は、後述する第３照明制御を実施するための要件が満たされていないか否かを判断する。本実施の形態の場合、次に述べる２つの要件のうち少なくとも一方が満たされていれば、第３照明制御を実施するための要件は満たされているとみなされる。その第１の要件は、バッテリ６４の電圧が閾値以下であることという要件である。第２の要件は、ユーザがユーザ操作部５０を操作することで生成された信号が第３照明制御の実施の要求を示す信号であるという要件である。その要件が満たされていないと判断した場合には（ステップＳ２０６にてＹＥＳ）、処理はステップＳ２０８へと移される。もしそうでないと（ステップＳ２０６にてＮＯ）、処理はステップＳ２１０へと移される。
【００４７】
ステップＳ２０８にて、表示制御部１００は、表示部６０に制御信号を出力する。変換制御部１０８は、データ変換部５６に制御信号を出力する。それらの制御信号が出力されると、データ変換部５６は、入力された表示データを変換する。表示部６０は、データ変換部５６が変換したデータに基づき、情報を通常表示する。また、照射制御部１０２は、ステップＳ２０４にて周囲光監視部５４が検出した輝度に対応する輝度でＬＣＤ８０の情報が表示された部分を照らすように第１照射部と第３照射部とを制御する。本実施の形態において、周囲光監視部５４が検出した輝度に対応する輝度でＬＣＤ８０の情報が表示された部分を照らすように第１照射部と第３照射部とを制御することを「第２照明制御」と称する。第２照明制御が実施される場合における第１照射部と第３照射部との具体的な輝度は、ステップＳ２０４にて周囲光監視部５４が検出した輝度に対応することを除けば、特に限定されるものではない。
【００４８】
ステップＳ２１０にて、部分表示制御部１０４は、表示部６０に制御信号を出力する。変換制御部１０８は、データ変換部５６に制御信号を出力する。それらの制御信号が出力されると、データ変換部５６は、入力された表示データを変換する。表示部６０は、データ変換部５６が変換したデータに基づき、第３照射部が光を照射する部分に情報を表示する。省電制御部１１０は、周囲光監視部５４が検出した輝度に対応する輝度でＬＣＤ８０の表示面のうち所定の部分を照らすように第３照射部のみを制御する。本実施の形態において、第３照射部が光を照射する部分に情報を表示することを「縮小表示」と称する。また、周囲光監視部５４が検出した輝度に対応する輝度でＬＣＤ８０の情報が表示された部分を照らすように第３照射部のみを制御することを「第３照明制御」と称する。
【００４９】
ステップＳ２１２にて、バッテリ監視部５２は、バッテリ６４の電圧を検出し、その電圧値のデータを部分表示制御部１０４に出力する。電圧値のデータが出力されると、部分表示制御部１０４は、バッテリ６４の電圧が閾値を上回るか否かを判断する。バッテリ６４の電圧が閾値を上回ると判断した場合には（ステップＳ２１２にてＹＥＳ）、処理はステップＳ２１４へと移される。もしそうでないと（ステップＳ２１２にてＮＯ）、処理はステップＳ２１６へと移される。
【００５０】
ステップＳ２１４にて、部分表示制御部１０４は、表示部６０に制御信号を出力する。変換制御部１０８は、データ変換部５６に制御信号を出力する。それらの制御信号が出力されると、データ変換部５６は、入力された表示データを変換する。表示部６０は、データ変換部５６が変換したデータに基づき、情報を縮小表示する。部分照射制御部１０６は、ＬＣＤ８０の情報が表示された部分を照らすように第２照射部と第３照射部とを制御する。本実施の形態の場合、第２照射部のＬＥＤ７０が照射する光の輝度と第３照射部のＬＥＤ７０が照射する光の輝度とは第１照明制御の場合と同じ輝度である。これにより、第１照明制御と同じ消費電力で第１照明制御を実施した場合よりも明るく表示部６０の情報が表示された領域を照らすことができる。本実施の形態において、第２照射部のＬＥＤ７０が照射する光の輝度と第３照射部のＬＥＤ７０が照射する光の輝度とが第１照明制御の場合と同じ輝度となるように第２照射部と第３照射部とを制御することを「第４照明制御」と称する。
【００５１】
ステップＳ２１６にて、部分表示制御部１０４は、表示部６０に制御信号を出力する。変換制御部１０８は、データ変換部５６に制御信号を出力する。それらの制御信号が出力されると、データ変換部５６は、入力された表示データを変換する。表示部６０は、データ変換部５６が変換したデータに基づき、情報を縮小表示する。部分照射制御部１０６は、ＬＣＤ８０の情報が表示された部分を照らすように第２照射部と第３照射部とを制御する。部分照射制御部１０６は、ステップＳ２１２にてバッテリ監視部５２が検出したバッテリ６４の電圧に対応する輝度でＬＣＤ８０の表示面のうち情報が表示された部分を照らすように第２照射部と第３照射部とを制御する。本実施の形態において、周囲光監視部５４が検出した輝度に対応する輝度でＬＣＤ８０の情報が表示された部分を照らすように第２照射部と第３照射部とを制御することを「第５照明制御」と称する。
【００５２】
ステップＳ２１８にて、表示制御部１００は、パワーセーブモードに移行することをユーザが要求しているか否かを判断する。本実施の形態の場合、ユーザ操作部５０がユーザの操作に応じて生成した信号が予め定められた情報を示す場合、表示制御部１００は、パワーセーブモードに移行することをユーザが要求していると判断する。パワーセーブモードに移行することをユーザが要求していると判断した場合には（ステップＳ２１８にてＹＥＳ）、処理はステップＳ２０４へと移される。もしそうでないと（ステップＳ２１８にてＮＯ）、処理はステップＳ２００へと移される。
【００５３】
以上のような構造およびフローチャートに基づく、情報表示装置の動作について説明する。
【００５４】
［通常表示と第１照明制御を実施した後、第２照明制御を実施する場合］
表示制御部１００および変換制御部１０８は、データ変換部５６と表示部６０とに制御信号を出力する。制御信号が出力されると、表示部６０は、データ変換部５６が変換したデータに基づき、情報を通常表示する。照射制御部１０２は、第１照明制御を実施する（ステップＳ２００）。図６は、表示部６０が情報を通常表示し、かつＬＥＤ制御部７２が第１照明制御を実施している場合の、表示部６０の表示領域と点灯中のＬＥＤ７０とを示す図である。ＬＥＤ７０のうちハッチングが付されたＬＥＤは第１照明制御によって点灯するＬＥＤであることを示す。
【００５５】
その後、表示制御部１００は、メモリ９２が記憶したフラグの値に基づき、制御部６２の動作がパワーセーブモードになっているか否かを判断する（ステップＳ２０２）。
【００５６】
この場合、制御部６２の動作がパワーセーブモードになっているとすると（ステップＳ２０２にてＹＥＳ）、動作制御部７４は、周囲光監視部５４が出力した輝度を示す値に基づき、本実施の形態に係る情報表示装置の周囲の輝度がその輝度についての閾値以下か否かを判断する（ステップＳ２０４）。
【００５７】
この場合、本実施の形態に係る情報表示装置の周囲の輝度がその輝度についての閾値以下とすると（ステップＳ２０４にてＹＥＳ）、部分表示制御部１０４は、第３照明制御を実施するための要件が満たされていないか否かを判断する（ステップＳ２０６）。
【００５８】
この場合、第３照明制御を実施するための要件が満たされていないとすると（ステップＳ２０６にてＹＥＳ）、表示部６０は、データ変換部５６が変換したデータに基づき、情報を通常表示する。また、照射制御部１０２は、ステップＳ２０４にて周囲光監視部５４が検出した輝度に対応する輝度でＬＣＤ８０の情報が表示された部分を照らすように第１照射部と第３照射部とを制御する（ステップＳ２０８）。これにより、表示部６０の明るさは、周囲光監視部５４が検出した輝度に対応することとなる。
【００５９】
［通常表示と第１照明制御を実施した後、縮小表示および第３照明制御を実施する場合］
ステップＳ２００からステップＳ２０４までの処理を経て、部分表示制御部１０４は、第３照明制御を実施するための要件が満たされていないか否かを判断する（ステップＳ２０６）。
【００６０】
この場合、第３照明制御を実施するための要件が満たされているとすると（ステップＳ２０６にてＮＯ）、表示部６０は、縮小表示を実施する。また、省電制御部１１０は、第３照明制御を実施する（ステップＳ２１０）。
【００６１】
図７は、表示部６０が情報を縮小表示し、かつ省電制御部１１０が第３照明制御を実施している場合の、表示部６０の表示面の各領域と点灯中のＬＥＤ７０とを示す図である。
【００６２】
図７に示す領域のうち「表示領域」と記載された領域に情報が表示される。「非表示領域（照明領域）」と記載された領域には、ＬＥＤ７０が照射した光が照射されるが情報は表示されない。ＬＣＤ８０は、この領域の画素を光が透過しない状態にする。「非表示領域（非照明領域）」と記載された領域には、光が照射されず、かつ情報が表示されない。図７において、ＬＥＤ７０のうちハッチングが付されたＬＥＤは第３照明制御によって点灯するＬＥＤであることを示す。
【００６３】
［通常表示と第１照明制御を実施した後、縮小表示および第４照明制御を実施する場合］
ステップＳ２００からステップＳ２０２までの処理を経て、表示制御部１００は、周囲光監視部５４が出力した値に基づき、本実施の形態に係る情報表示装置の周囲の輝度が閾値以下か否かを判断する（ステップＳ２０４）。
【００６４】
この場合、情報表示装置の周囲の輝度がその輝度についての閾値を越えるとすると（ステップＳ２０４にてＮＯ）、部分表示制御部１０４は、バッテリ６４の電圧が閾値を上回るか否かを判断する（ステップＳ２１２）。
【００６５】
この場合、バッテリ６４の電圧が電圧についての閾値を上回るとすると（ステップＳ２１２にてＹＥＳ）、表示部６０は、データ変換部５６が変換したデータに基づき、情報を縮小表示する。部分照射制御部１０６は、第４照明制御を実施する（ステップＳ２１４）。
【００６６】
図８は、表示部６０が情報を縮小表示し、かつＬＥＤ制御部７２が第４照明制御を実施している場合の、表示部６０の表示面の各領域と点灯中のＬＥＤ７０とを示す図である。
【００６７】
図７と同様に、「表示領域」と記載された領域に情報が表示される。「非表示領域（照明領域）」と記載された領域には、ＬＥＤ７０が照射した光が照射されるが情報は表示されない。「非表示領域（非照明領域）」と記載された領域には、光が照射されず、かつ情報が表示されない。ＬＥＤ７０のうちハッチングが付されたＬＥＤは第４照明制御によって点灯するＬＥＤであることを示す。
【００６８】
以上のようにして、本実施の形態に係る本実施の形態に係る情報表示装置は、ユーザの設定や周囲の輝度やバッテリ６４の電圧に基づいて、点灯するＬＥＤ７０の数を減らしたり表示部６０の一部にＬＥＤ７０の光を集中させたりする。これにより、ＬＥＤ７０の点灯によって消費される電力は表示部６０全体に光を照射する場合の電力以下となる。その上、ＬＥＤ制御部７２が制御するＬＥＤ７０の数は一般的な情報表示装置と同じなので、そのような機器に対するＬＥＤ制御部７２の大型化の程度やＬＥＤ７０に対する制御の複雑化の程度はあまり大きくない。また、同一の消費電力で表示面を明るく照らすことができるので、明るい場所で表示部６０を見る場合には、表示された情報が見易くなる。
【００６９】
さらに、拡散板８２およびＬＣＤ８０の表示面を挟んで相対するようにＬＥＤ７０が設置されているので、情報表示装置を容易に小型化できる。
【００７０】
また、第１照射部と第２照射部とは、同数のＬＥＤにより構成されている。これにより、第１照射部を制御する場合と第２照射部を制御する場合とでＬＥＤ制御部７２が制御するＬＥＤの数は変わらない。その数が変わらないので、その数が変わる場合に比べ、ＬＥＤ制御部７２の回路は簡略化される。
【００７１】
また、縮小表示の際、画像を回転させて表示することを行わず、ＬＥＤ７０からの光が照射されるにも関わらず画像や文字を表示しないＬＣＤ８０の領域を光が透過しないマスク状態にする。これにより、マスク状態にすることによって電力を消費するものの、画像を回転させるための情報処理に費やす電力を節約することができる。これにより、結果として電力の消費量を抑制できる。
【００７２】
なお、本実施の形態の第１の変形例において、ＬＥＤ制御部７２は、第４照明制御に代え、第２照射部と第３照射部とに対して次に述べる制御を実施してもよい。
【００７３】
その制御とは、第２照射部のＬＥＤ７０が照射する光の輝度と第３照射部のＬＥＤ７０が照射する光の輝度とは第１照明制御の場合よりも低い輝度であるものの、ＬＣＤ８０に照射される光の輝度自体は第１照明制御の場合よりも高くなる制御である。
【００７４】
これにより、消費電力の軽減と表示部６０の見易さとを両立できる。
また、本実施の形態の第２の変形例において、第２照射部のＬＥＤ７０と第３照射部のＬＥＤ７０とは、互いにはすかいになるように配置されてもよい。
【００７５】
図９および図１０は、第２照射部のＬＥＤ７０と第３照射部のＬＥＤ７０とが互いにはすかいになるように配置された場合における、表示部６０とＬＥＤ７０との配置関係を示す図である。ちなみに、図１０のようにＬＥＤ７０が配置されると、表示面は均一に照らされる。
【００７６】
図９に示すように第２照射部のＬＥＤ７０が表示部６０（より具体的には拡散板８２およびＬＣＤ８０の表示面）の側面の中央部分に寄るように配置される場合に限らず、第２照射部のＬＥＤ７０が図４の配置よりも互いに離れるように配置されてもよい。
【００７７】
ＬＥＤ７０が照射する光の強度が光の照射方向に対応するので、第２照射部のＬＥＤ７０と第３照射部のＬＥＤ７０とが互いにはすかいになるように配置されると、表示部６０の中央部分の輝度分布は均一化される。これにより、表示部６０の表示面の明るさにムラが生じることを防止できる。
【００７８】
また、本実施の形態の第３の変形例において、第２照射部のＬＥＤ７０と第３照射部のＬＥＤ７０と第１照射部のＬＥＤ７０との配置は図４のものとさらに異なっていてもよい。図１１は、そのような配置の一例を示す図である。
【００７９】
この場合、図１１において表示部６０の右側に示されたＬＥＤ７０のうち下側の２つのＬＥＤ７０が第１照射部である。図１１において表示部６０の左側に示されたＬＥＤ７０が第２照射部である。図１１において表示部６０の右側に示されたＬＥＤ７０のうち上側の２つのＬＥＤ７０が第３照射部である。この場合、縮小表示を行う際には表示部６０の上半分に画像が表示されるよう、画像の表示方向を変更してもよい。
【００８０】
図１２は、表示部６０が情報を通常表示しかつＬＥＤ制御部７２が第１照明制御を実施している場合の、この場合における表示部６０の表示領域と点灯中のＬＥＤ７０とを示す図である。ＬＥＤ７０のうちハッチングが付されたＬＥＤは第１照明制御によって点灯するＬＥＤであることを示す。
【００８１】
図１３は、表示部６０が情報を縮小表示しかつＬＥＤ制御部７２が第３照明制御を実施している場合の、この場合における表示部６０の表示面の各領域と点灯中のＬＥＤ７０とを示す図である。
【００８２】
図１３に示す領域のうち「表示領域」と記載された領域に情報が表示される。「非表示領域（非照明領域）」と記載された領域には、光が照射されず、かつ情報が表示されない。図１３において、ＬＥＤ７０のうちハッチングが付されたＬＥＤは第３照明制御によって点灯するＬＥＤであることを示す。
【００８３】
図１４は、表示部６０が情報を縮小表示しかつＬＥＤ制御部７２が第４照明制御を実施している場合の、表示部６０の表示面の各領域と点灯中のＬＥＤ７０とを示す図である。
【００８４】
図１３と同様に、「表示領域」と記載された領域に情報が表示される。「非表示領域（非照明領域）」と記載された領域には、光が照射されず、かつ情報が表示されない。ＬＥＤ７０のうちハッチングが付されたＬＥＤは第４照明制御によって点灯するＬＥＤであることを示す。
【００８５】
図１１に示すようにＬＥＤ７０が配置されていると、縮小表示を実施する際、情報が表示されないにもかかわらず光が照射される領域はなくなる。そのような領域がなくなることで、電力を無駄に消費することが防止される。
【００８６】
また、本実施の形態の第４の変形例において、上述した表示部６０に代え、表示部６１を含んでもよい。表示部６０と同様に、表示部６１も、データ変換部５６が変換したデータに基づき、文字や画像として情報を表示する装置である。この場合、第２照射部のＬＥＤ７０と第３照射部のＬＥＤ７０と第１照射部のＬＥＤ７０との配置は図４のものとさらに異なる。
【００８７】
図１５は、表示部６１の構成とＬＥＤ７０の配置関係とを示す図である。図１５を参照して、表示部６１は、ＬＣＤ８０と、拡散板８２と、導光板８４とを含む。導光板８４は、ＬＥＤ７０が照射した光を効率よく拡散板８２に誘導するための部材である。ＬＥＤ７０が照射した光が導光板８４によって拡散板８２に導入されることを除けば、表示部６１は表示部６０と同一の動作を行う。
【００８８】
図１６は、本実施の形態に係る情報表示装置を使用中のユーザが表示部６１の表示面を見た場合における、表示部６０の表示面とＬＥＤ７０との配置関係を示す図である。
【００８９】
図１５および図１６に示すように、この変形例の場合、バックライト照明部５８が含むＬＥＤ７０は、表示部６１の表示面の１つの側面に設けられている。ただし、その側面の中央部分に配置されたＬＥＤ７０は、互いに隣接している。
【００９０】
この変形例の場合、図１６のＬＥＤ７０のうち左からみて２番目のＬＥＤ７０と４番目のＬＥＤ７０とが「第２照射部」にあたる。図１６のＬＥＤ７０のうち左からみて３番目のＬＥＤ７０と５番目のＬＥＤ７０とが「第３照射部」にあたる。図１６のＬＥＤ７０のうち両端部分に配置されたＬＥＤ７０が「第１照射部」にあたる。
【００９１】
図１７は、表示部６１が情報を通常表示しかつＬＥＤ制御部７２が第１照明制御を実施している場合の、この場合における表示部６１の表示領域と点灯中のＬＥＤ７０とを示す図である。ＬＥＤ７０のうちハッチングが付されたＬＥＤは第１照明制御によって点灯するＬＥＤであることを示す。
【００９２】
図１８は、表示部６１が情報を縮小表示しかつＬＥＤ制御部７２が第３照明制御を実施している場合の、この場合における表示部６１の各表示領域と点灯中のＬＥＤ７０とを示す図である。
【００９３】
図１８に示す領域のうち「表示領域」と記載された領域に情報が表示される。「非表示領域（照明領域）」と記載された領域には、ＬＥＤ７０が照射した光が照射されるが情報は表示されない。「非表示領域（非照明領域）」と記載された領域には、光が照射されず、かつ情報が表示されない。図１８において、ＬＥＤ７０のうちハッチングが付されたＬＥＤは第３照明制御によって点灯するＬＥＤであることを示す。
【００９４】
図１９は、表示部６１が情報を縮小表示し、かつＬＥＤ制御部７２が第４照明制御を実施している場合の、表示部６１の各表示領域と点灯中のＬＥＤ７０とを示す図である。
【００９５】
図１８と同様に、「表示領域」と記載された領域に情報が表示される。「非表示領域（照明領域）」と記載された領域には、ＬＥＤ７０が照射した光が照射されるが情報は表示されない。「非表示領域（非照明領域）」と記載された領域には、光が照射されず、かつ情報が表示されない。ＬＥＤ７０のうちハッチングが付されたＬＥＤは第４照明制御によって点灯するＬＥＤであることを示す。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】本発明の実施の形態に係る情報表示装置の構成を示す図である。
【図２】本発明の実施の形態に係る制御部の機能ブロック図である。
【図３】本発明の実施の形態に係る表示部の構成とＬＥＤの配置関係とを示す図である。
【図４】本発明の実施の形態に係る表示部とＬＥＤとの配置関係を示す図である。
【図５】本発明の実施の形態に係る表示処理の制御の手順を示すフローチャートである。
【図６】本発明の実施の形態に係る、表示部が情報を通常表示し、かつ第１照明制御が実施されている場合の、表示部の表示領域と点灯中のＬＥＤとを示す図である。
【図７】本発明の実施の形態に係る、表示部が情報を縮小表示し、かつ照明制御部が第３照明制御を実施している場合の、表示面の各領域と点灯中のＬＥＤとを示す図である。
【図８】本発明の実施の形態に係る、表示部が情報を縮小表示し、かつ照明制御部が第４照明制御を実施している場合の、表示面の各領域と点灯中のＬＥＤとを示す図である。
【図９】本発明の実施の形態の第２の変形例に係る表示部と拡散板との配置関係を示す第１の図である。
【図１０】本発明の実施の形態の第２の変形例に係る表示部と拡散板との配置関係を示す第２の図である。
【図１１】本発明の実施の形態の第３の変形例に係る表示部と拡散板との配置関係を示す図である。
【図１２】本発明の実施の形態の第３の変形例に係る、表示部が情報を通常表示し、かつ照明制御部が第１照明制御を実施している場合の、表示部の表示領域と点灯中のＬＥＤとを示す図である。
【図１３】本発明の実施の形態の第３の変形例に係る、表示部が情報を縮小表示し、かつ照明制御部が第３照明制御を実施している場合の、表示部の表示面の各領域と点灯中のＬＥＤとを示す図である。
【図１４】本発明の実施の形態の第３の変形例に係る、表示部が情報を縮小表示し、かつ照明制御部が第４照明制御を実施している場合の、表示部の表示面の各領域と点灯中のＬＥＤとを示す図である。
【図１５】本発明の実施の形態の第４の変形例に係る表示部の構成とＬＥＤの配置関係とを示す図である。
【図１６】本発明の実施の形態の第４の変形例に係る表示部の表示面とＬＥＤとの配置関係を示す図である。
【図１７】本発明の実施の形態の第４の変形例に係る、表示部が情報を通常表示し、かつ照明制御部が第１照明制御を実施している場合の、表示部の表示面の表示領域と点灯中のＬＥＤとを示す図である。
【図１８】本発明の実施の形態の第４の変形例に係る、表示部が情報を縮小表示し、かつ照明制御部が第３照明制御を実施している場合の、表示部の各表示領域と点灯中のＬＥＤとを示す図である。
【図１９】本発明の実施の形態の第４の変形例に係る、表示部が情報を縮小表示し、かつ照明制御部が第４照明制御を実施している場合の、表示部の各表示領域と点灯中のＬＥＤとを示す図である。
【符号の説明】
【００９８】
５０  ユーザ操作部、５２  バッテリ監視部、５４  周囲光監視部、５６  データ変換部、５８  バックライト照明部、６０，６１  表示部、６２  制御部、６４  バッテリ、６６  筐体、７０  ＬＥＤ、７２  ＬＥＤ制御部、７４  動作制御部、８０  ＬＣＤ、８２  拡散板、９０  ＣＰＵ、９２  メモリ、１００  表示制御部、１０２  照射制御部、１０４  部分表示制御部、１０６  部分照射制御部、１０８  変換制御部、１１０  省電制御部。
【図１】
2008197562.tif 000003
【図２】
2008197562.tif 000004
【図３】
2008197562.tif 000005
【図４】
2008197562.tif 000006
【図５】
2008197562.tif 000007
【図６】
2008197562.tif 000008
【図７】
2008197562.tif 000009
【図８】
2008197562.tif 000010
【図９】
2008197562.tif 000011
【図１０】
2008197562.tif 000012
【図１１】
2008197562.tif 000013
【図１２】
2008197562.tif 000014
【図１３】
2008197562.tif 000015
【図１４】
2008197562.tif 000016
【図１５】
2008197562.tif 000017
【図１６】
2008197562.tif 000018
【図１７】
2008197562.tif 000019
【図１８】
2008197562.tif 000020
【図１９】
2008197562.tif 000021